(57)【要約】【課題】利用者に対して食べ頃となった調理時間に達したことを適切に報知して利用者が美味しくカップ入り食料を食することが可能なカップ入り食料自動販売機を提供する。【解決手段】熱湯を注ぐことで調理可能なカップ入り食料を販売するとともに、当該カップ入り食料に熱湯を供給可能なカップ入り食料自動販売機であって、開閉扉を備えた給湯室と、給湯の実行と停止を指示する給湯釦と、計時手段と、音声出力手段または表示手段との少なくとも一方とを備える。そして前記給湯室にカップ入り食料が載置されて前記開閉扉が閉められた後、前記給湯釦が操作されると、載置されたカップ入り食料に熱湯を供給するとともに、前記計時手段にて経過時間を計測し、計測した経過時間が所定の調理時間に達すると前記音声出力手段または前記表示手段の少なくとも一方を用いて前記所定の調理時間に達したことを報知する。【選択図】        図３
2007200193.tif 000002
【特許請求の範囲】
【請求項１】
熱湯を注ぐことで調理可能なカップ入り食料を販売するとともに、当該カップ入り食料に熱湯を供給可能なカップ入り食料自動販売機であって、
開閉扉を備えた給湯室と、給湯の実行と停止を指示する給湯釦と、計時手段と、音声出力手段または表示手段との少なくとも一方とを備え、
前記給湯室にカップ入り食料が載置されて前記開閉扉が閉められた後、前記給湯釦が操作されると、載置されたカップ入り食料に熱湯を供給するとともに、前記計時手段にて経過時間を計測し、計測した経過時間が所定の調理時間に達すると前記音声出力手段または前記表示手段の少なくとも一方を用いて前記所定の調理時間に達したことを報知する、
ことを特徴とするカップ入り食料自動販売機。
【請求項２】
請求項１に記載のカップ入り食料自動販売機であって、
前記カップ入り食料が前記給湯室に載置されているとき、または前記カップ入り食料に熱湯を供給した後に前記開閉扉が開かれたとき、当該カップ入り食料に識別情報を割り付けるとともに、当該識別情報を前記音声出力手段または前記表示手段の少なくとも一方を用いて報知し、
割り付けた識別情報毎に前記経過時間を計測し、計測した経過時間が所定の調理時間に達すると前記音声出力手段または前記表示手段の少なくとも一方を用いて前記所定の調理時間に達したことを前記識別情報とともに報知する、
ことを特徴とするカップ入り食料自動販売機。
【請求項３】
請求項１に記載のカップ入り食料自動販売機であって、
前記給湯室には識別情報認識手段が設けられているとともに、当該カップ入り食料自動販売機が販売したカップ入り食料のカップには、前記識別情報認識手段にて認識可能な識別情報が予め設けられており、
前記カップ入り食料が前記給湯室に載置されているとき、または前記カップ入り食料に熱湯を供給した後に前記開閉扉が開かれたとき、当該カップ入り食料のカップに設けられている識別情報を前記識別情報認識手段にて認識するとともに、当該識別情報を前記音声出力手段または前記表示手段の少なくとも一方を用いて報知し、
認識した識別情報毎に前記経過時間を計測し、計測した経過時間が所定の調理時間に達すると前記音声出力手段または前記表示手段の少なくとも一方を用いて前記所定の調理時間に達したことを前記識別情報とともに報知する、
ことを特徴とするカップ入り食料自動販売機。
【発明の詳細な説明】
【技術分野】
【０００１】
本発明は、熱湯を注ぐことで調理可能なカップ入り食料を販売するとともに、当該カップ入り食料に熱湯を供給可能なカップ入り食料自動販売機に関する。
【背景技術】
【０００２】
カップ入り食料（例えばカップ麺）を販売するとともに当該カップ入り食料に熱湯を供給可能な給湯装置を備え、利用者がカップ入り食料を購入して給湯装置を用いて熱湯を注ぐことで、その場でカップ入り食料を食することができるようにした自動販売機がある。
例えば特許文献１に記載した従来技術では、商品購入者のみが給湯を行うことが可能であり、且つ給湯中はタイムオーバーにより途中で給湯停止しないようにしたカップ麺自動販売機の給湯装置が提案されている。
【特許文献１】特開平８−１８５５６８号公報
【発明の開示】
【発明が解決しようとする課題】
【０００３】
特許文献１に記載した従来技術は、給湯の不正使用を抑制するとともに給湯が中断されないようにしているが、正規の利用者であっても、給湯後の調理完了時期を自分自身で計測しなければならず、手間である。しかし、調理完了時間に対して短い時間ではカップ入り食料がまだ食べ頃に達しておらず、やや固めで美味しくいただくことができない。また調理完了時間に対して長い時間ではカップ入り食料の水分吸収量が過剰になり、歯ごたえが低下するとともに温度が冷めて美味しくいただくことができない。
本発明は、このような点に鑑みて創案されたものであり、利用者に対して食べ頃となった調理時間に達したことを適切に報知して利用者が美味しくカップ入り食料を食することが可能なカップ入り食料自動販売機を提供することを課題とする。
【課題を解決するための手段】
【０００４】
上記課題を解決するための手段として、本発明の第１発明は、請求項１に記載されたとおりのカップ入り食料自動販売機である。
請求項１に記載のカップ入り食料自動販売機は、熱湯を注ぐことで調理可能なカップ入り食料を販売するとともに、当該カップ入り食料に熱湯を供給可能なカップ入り食料自動販売機であって、開閉扉を備えた給湯室と、給湯の実行と停止を指示する給湯釦と、計時手段と、音声出力手段または表示手段との少なくとも一方とを備える。
そして前記給湯室にカップ入り食料が載置されて前記開閉扉が閉められた後、前記給湯釦が操作されると、載置されたカップ入り食料に熱湯を供給するとともに、前記計時手段にて経過時間を計測し、計測した経過時間が所定の調理時間に達すると前記音声出力手段または前記表示手段の少なくとも一方を用いて前記所定の調理時間に達したことを報知する。
【０００５】
また、本発明の第２発明は、請求項２に記載されたとおりのカップ入り食料自動販売機である。
請求項２に記載のカップ入り食料自動販売機は、請求項１に記載のカップ入り食料自動販売機であって、前記カップ入り食料が前記給湯室に載置されているとき、または前記カップ入り食料に熱湯を供給した後に前記開閉扉が開かれたとき、当該カップ入り食料に識別情報を割り付けるとともに、当該識別情報を前記音声出力手段または前記表示手段の少なくとも一方を用いて報知する。
そして割り付けた識別情報毎に前記経過時間を計測し、計測した経過時間が所定の調理時間に達すると前記音声出力手段または前記表示手段の少なくとも一方を用いて前記所定の調理時間に達したことを前記識別情報とともに報知する。
【０００６】
また、本発明の第３発明は、請求項３に記載されたとおりのカップ入り食料自動販売機である。
請求項３に記載のカップ入り食料自動販売機は、請求項１に記載のカップ入り食料自動販売機であって、前記給湯室には識別情報認識手段が設けられているとともに、当該カップ入り食料自動販売機が販売したカップ入り食料のカップには、前記識別情報認識手段にて認識可能な識別情報が予め設けられており、前記カップ入り食料が前記給湯室に載置されているとき、または前記カップ入り食料に熱湯を供給した後に前記開閉扉が開かれたとき、当該カップ入り食料のカップに設けられている識別情報を前記識別情報認識手段にて認識するとともに、当該識別情報を前記音声出力手段または前記表示手段の少なくとも一方を用いて報知する。
そして認識した識別情報毎に前記経過時間を計測し、計測した経過時間が所定の調理時間に達すると前記音声出力手段または前記表示手段の少なくとも一方を用いて前記所定の調理時間に達したことを前記識別情報とともに報知する。
【発明の効果】
【０００７】
請求項１に記載のカップ入り食料自動販売機を用いれば、カップ入り食料自動販売機が、食べ頃となった調理時間に達したことを報知してくれるので、利用者は手間なく美味しいタイミングでカップ入り食料を食することができる。
【０００８】
また、請求項２に記載のカップ入り食料自動販売機は、複数の利用者が順番に給湯した場合、カップ入り食料自動販売機が各カップに識別情報を割り付ける。そして、識別情報毎に食べ頃となった調理時間に達したことを報知するため、各利用者は自分（自分のカップ入り食料）に割り付けられた識別情報に対する報知を待てばよく、便利である。
【０００９】
また、請求項３に記載のカップ入り食料自動販売機では、識別情報は予めカップに設けられている。そして、カップ入り食料自動販売機は、識別情報毎に食べ頃となった調理時間に達したことを報知するため、各利用者はカップに設けられている識別情報に対する報知を待てばよく、便利である。
【発明を実施するための最良の形態】
【００１０】
以下に本発明を実施するための最良の形態を図面を用いて説明する。図１は、本発明のカップ入り食料自動販売機１の一実施の形態における概略外観図（正面図）を示している。
●［カップ入り食料自動販売機１の外観（図１）と給湯室１３に関する機器の構成（図２）］
本実施の形態におけるカップ入り食料自動販売機１は、自動販売機２０と当該自動販売機２０に並設された給湯装置１０にて構成されている。
図１に示すように、自動販売機２０には、商品サンプル２１、商品の購入指示を行う商品選択釦２２、商品取出し口２３、紙幣または貨幣を投入する投入口２４、商品の購入を中断して投入した紙幣または貨幣を返却する返却レバー２５、返却された貨幣または釣銭が払い出される返却口２６が備えられている。
また図１に示すように、給湯装置１０には、表示手段１１、給湯釦１２、給湯室１３、音声出力手段１４、割り箸、フォーク等を利用者に提供する備品貯蔵部１５が設けられている。なお、図示しないが給湯装置１０は、配管等から供給された飲料水を加熱して熱湯にする加熱手段、当該熱湯を貯蔵する熱湯タンク、給湯釦１２の操作によって給湯室１３に載置されたカップＣ（カップ入り食料）に熱湯タンクから熱湯を供給する制御手段を備えている。
【００１１】
次に図２を用いて、給湯室１３に関する機器の構成の例について説明する。
図２に示すように、給湯室１３は略箱状に形成されており、利用者がカップＣを出し入れするための開閉扉１３Ａ、開閉扉１３Ａの開状態または閉状態を検出可能な開閉検出手段１７Ｂ、カップＣの有無を検出可能なカップ検出手段１７Ａ、カップＣに供給する熱湯を吐出する注ぎ口１６が設けられている。
制御手段３０には、開閉検出手段１７Ｂ、カップ検出手段１７Ａからの検出信号、及び給湯釦１２からの給湯指示信号が入力され、熱湯タンク（図示省略）の熱湯を注ぎ口１６から吐出する駆動信号（図示省略）を出力する。
そして制御手段３０は、計時手段を備えており、カップＣに給湯した後の経過時間を計測し、当該経過時間が所定の調理時間に達すると、表示手段１１または音声出力手段１４の少なくとも一方から前記所定の調理時間に達したことを利用者に報知する。
なお、実際の給湯時間は数秒で完了可能であり、熱湯を注いだカップ入り食料が食べ頃となる所定の調理時間は通常３分〜５分程度であるため、経過時間の計測開始タイミングは、給湯を開始した時点でもよいし、給湯を終了した時点でもよいし、給湯中の任意のタイミングでもよい。
【００１２】
●［第１の実施の形態における給湯及び報知の処理手順（図３）と報知の例（図４）］
次に図３及び図４を用いて、第１の実施の形態について説明する。第１の実施の形態では、カップ入り食料に給湯した一人の利用者に対して、所定の調理時間（熱湯を注いだカップ入り食料が食べ頃となる時間）となったことを報知するものである。
図３（Ａ）は、カップ入り食料に熱湯を供給する際の制御手段３０の処理手順の例を示しており、図３（Ｂ）は熱湯の供給が終了した後、経過時間を計測して利用者に報知する際の制御手段３０の処理手順の例を示している。
【００１３】
まず、熱湯を供給する際の処理手順を示す図３（Ａ）について説明する。
利用者は、カップ入り食料（以下、カップＣがカップ入り食料に相当する）に熱湯を供給するために、開閉扉１３Ａを開いてカップＣを給湯室１３内に載置して、開閉扉１３Ａを閉める。
ステップＳ１０にて制御手段３０は、開閉検出手段１７Ｂからの検出信号に基づいて開閉扉１３Ａが閉状態であるか否かを判定する。閉状態である（Ｙｅｓ）場合、ステップＳ２０に進み、閉状態でない（Ｎｏ）場合、ステップＳ１０に戻る。
ステップＳ２０では、カップ検出手段１７Ａからの検出信号に基づいてカップＣが給湯室１３内に載置されているか否かを判定する。カップＣが載置されている（Ｙｅｓ）場合、ステップＳ４０に進み、載置されていない（Ｎｏ）場合、ステップＳ１０に戻る。
【００１４】
次に利用者は、給湯釦１２を操作して、所望する量の熱湯をカップＣに注ぐ。
ステップＳ４０にて制御手段３０は、給湯釦１２からの給湯指示信号の有無を判定する。給湯指示信号が有る（Ｙｅｓ）場合、ステップＳ４２に進み、給湯指示信号が無い（Ｎｏ）場合、ステップＳ４４に進む。
ステップＳ４４に進んだ場合、注ぎ口１６からの熱湯の供給を停止してステップＳ６０に進む。
ステップＳ４２に進んだ場合、注ぎ口１６から熱湯を供給してステップＳ５０に進む。ステップＳ５０では、経過時間タイマ（計時手段に相当）が起動済みであるか否かを判定する。起動済みである（Ｙｅｓ）場合、ステップＳ６０に進み、起動していない（Ｎｏ）場合、ステップＳ５２に進む。ステップＳ５２では、経過時間タイマを起動してステップＳ６０に進む。
【００１５】
熱湯を注ぎ終わった利用者は、開閉扉１３Ａを開いて給湯室１３からカップＣを取り出す。
ステップＳ６０にて制御手段３０は、開閉検出手段１７Ｂからの検出信号に基づいて開閉扉１３Ａが開状態であるか否かを判定する。開状態である（Ｙｅｓ）場合、ステップＳ７０に進み、開状態でない（Ｎｏ）場合、ステップＳ４０に戻る。
ステップＳ７０では、注ぎ口１６からの熱湯の供給を停止してステップＳ８０に進む。
ステップＳ８０では、例えば表示手段１１に「調理完了までの残り時間ｘｘ秒です」という表示を行ったり、音声出力手段１４から「調理完了まで、あとｘｘ秒です」という音声を出力したりすることで、利用者に調理完了までの時間を報知する。（少なくとも一方から報知すればよい）
利用者がカップＣを取り出したタイミングで報知すると利用者の記憶に残り易い。
【００１６】
次に、経過時間を計測して利用者に報知する際の処理手順を示す図３（Ｂ）について説明する。
利用者は、給湯が終了したカップＣをテーブル等に運び、所定の調理時間（カップ入り食料に応じた待ち時間）が経過するまで待っているが、時計を持参しているとは限らないし、給湯が終了した時刻を確認したとは限らない。そこで、カップ入り食料自動販売機１が、利用者の代わりに給湯してからの時間を計測するとともに、給湯してからの経過時間の状態、及び所定の調理時間に達したことを利用者に報知する。
図３（Ｂ）の処理は、例えば所定時間毎（１秒毎等）に実行される。
ステップＳ１１０にて制御手段３０は、経過時間タイマが起動されているか否かを判定する。起動されている（Ｙｅｓ）場合、ステップＳ１２０に進み、起動されていない（Ｎｏ）場合、処理を終了する。
ステップＳ１２０では、経過時間タイマをカウントし、ステップＳ１３０に進む。
ステップＳ１３０では、経過時間タイマが所定の調理時間以上経過したか否かを判定する。所定の調理時間以上である（Ｙｅｓ）場合、ステップＳ１３２に進み、所定の調理時間未満である（Ｎｏ）場合、ステップＳ１３４に進む。
ステップＳ１３２に進んだ場合、所定の調理時間に到達したことを報知してステップＳ１４０に進む。
ステップＳ１３４に進んだ場合、経過時間に応じた報知を出力してステップＳ１４０に進む。
【００１７】
ここで、図４（Ａ）〜（Ｃ）にて、表示手段１１を用いた報知の例を説明する。
図４（Ａ）は、７セグメント１１Ａに残り時間（または経過時間）を表示する例を示している。
例えばステップＳ１３４にて制御手段３０は、経過時間と所定の調理時間から残り時間を求めて表示する。また例えばステップＳ１３２にて制御手段３０は「０００」を点滅させる表示を行う。
図４（Ｂ）は、ランプ（ＬＥＤ等）にて残り時間及び調理時間に到達したことを表示する例を示している。
例えばステップＳ１３４にて制御手段３０は、経過時間に応じてランプ１１Ｂの点灯数を変更する。例えば給湯直後ではランプ１１Ｂを全て点灯させ、経過時間に応じて左側から順に消灯させていく。そして調理時間に到達するとランプ１１Ｂを全て消灯させ、ランプ１Ｃを点灯させる。
図４（Ｃ）は、液晶パネル１１Ｄにて経過時間（または残り時間）及び調理時間に到達したことを表示する例を示している。
例えばステップＳ１３４にて制御手段３０は、経過時間に応じた表示（「経過時間ｘｘ秒です」等）を表示させる。また例えばステップＳ１３２にて制御手段３０は所定の調理時間に到達したことを示す表示（「調理完了しました」等）を表示させる。
なお、調理時間に到達する前は、「残り時間」の表示、あるいは「経過時間」の表示、のどちらの表示で報知してもよい。
なお、報知は、表示手段１１による報知と、音声出力手段１４による報知の、少なくとも一方を用いて報知すればよい。
例えば音声出力手段１４を用いる場合、所定時間毎（３０秒毎等）に、「残り時間」を音声で報知する。
【００１８】
利用者に所定の調理時間に到達したことを報知した後は、しばらく後に報知を停止することが好ましい。
ステップＳ１４０にて制御手段３０は、経過時間タイマが「所定の調理時間＋調理完了報知維持時間（例えば１０秒間）」以上であるか否かを判定する。「所定の調理時間＋調理完了報知維持時間」以上である（Ｙｅｓ）場合、ステップＳ１５０に進み、「所定の調理時間＋調理完了報知維持時間」未満である（Ｎｏ）場合、処理を終了する（報知状態は維持）。
ステップＳ１５０に進んだ場合、経過時間タイマを初期化（起動されていない、と判定するように起動状態を解除）してステップＳ１６０に進む。
ステップＳ１６０では、報知出力を停止して処理を終了する。
【００１９】
●［第２の実施の形態における給湯及び報知の処理手順（図５）と報知の例（図６）］
次に図５及び図６を用いて、第２の実施の形態について説明する。第２の実施の形態では、カップ入り食料に給湯した複数人の利用者に対して、各利用者に、所定の調理時間となったことを報知するものである。
図５（Ａ）は、カップ入り食料に熱湯を供給する際の制御手段３０の処理手順の例を示しており、図５（Ｂ）は熱湯の供給が終了した後、経過時間を計測して利用者に報知する際の制御手段３０の処理手順の例を示している。
なお、図５（Ａ）の処理手順については図３（Ａ）にて説明した処理手順からの相違点を説明し、図５（Ｂ）の処理手順については図３（Ｂ）にて説明した処理手順からの相違点について説明する。
【００２０】
まず、熱湯を供給する際の処理手順を示す図５（Ａ）について説明する。
図３（Ａ）からは太字で示したステップＳ３０の処理が追加され、ステップＳ５２Ａ及びステップＳ８０Ａの処理が変更されている。
ステップＳ３０では、制御手段３０は、複数人の利用者の各々の経過時間を計測するために、各利用者のカップＣに識別情報を割り付ける。図５（Ａ）の処理は、カップＣを給湯室１３にセットして給湯を行い、カップＣを取り出すまでの処理であるため、利用者毎に実行する処理である。例えばステップＳ３０の処理を実行する毎に、順番にＩＤを割り付け（例えば１番、２番、３番・・と割り付ける）、当該ＩＤに対応させた経過時間タイマを設定する。
ステップＳ３０では、制御手段３０にてＩＤを割り付ける他にも、予めカップＣに識別情報を設けて当該識別情報からＩＤを読み出すように構成してもよい。例えば図７（Ａ）に示すように、カップＣにＲＦＩＤ（Radio  Frequency  Identification）のタグＣＡを貼り付けておき、給湯室１３に設けたＲＦＩＤ読み取り手段１７ＣにてＩＤを認識する。あるいは図７（Ｂ）に示すように、カップＣの底に２次元コードＣＢを貼り付けておき、給湯室１３に設けた２次元コード読み取り手段１７ＤにてＩＤを認識する。
ステップＳ５２Ａでは、ステップＳ３０にて割り付けたＩＤ（または認識したＩＤ）に対応させた経過時間タイマを起動させる。
ステップＳ８０Ａでは、例えば「お客様のＩＤは「１番」です、残り時間の表示において「１番」を御確認ください」等の報知（この例では音声出力手段１４からの報知）を行う。
【００２１】
次に、経過時間を計測して利用者に報知する際の処理手順を示す図５（Ｂ）について説明する。
図３（Ｂ）からは太字で示したステップＳ１２０Ａ、ステップＳ１５０Ａ及びステップＳ１６０Ａの処理が変更されている。
ステップＳ１２０Ａでは、ＩＤ毎に経過時間タイマをカウントする。複数のＩＤが割り付けられている場合（または複数認識されている場合）、各ＩＤに設定された各々の経過時間タイマをそれぞれカウントする。なお、ステップＳ１３０〜ステップＳ１４０の処理もＩＤ毎に行う。
この場合の報知の例を図６に示す。図６では３人分の利用者への報知を可能とした７セグメントを用いた表示手段１１の例であり、識別情報（ＩＤ）表示部１１Ｅと、残り時間表示部１１Ｆを３人分用意している。制御手段３０は、ＩＤ毎に残り時間を、残り時間の短い順に表示する。なお、図６の例では、ＩＤ「１番」〜「３番」までしか表示されていないが、制御手段３０は、「４番」、「５番」等もＩＤ及び経過時間タイマを記憶しておくことができる。
【００２２】
ここで、例えばＩＤ「１番」の残り時間がゼロになり、残り時間表示部１１Ｆにて「０００」を一定時間点滅（ステップＳ１３２の処理を、第１の実施の形態にて説明したように調理完了報知維持時間の間継続）させた後、ステップＳ１５０Ａでは、調理完了の報知を終了した当該ＩＤ「１番」のＩＤ及び経過時間タイマを初期化し、ステップＳ１６０Ａでは、初期化したＩＤ及び残り時間の報知を停止する。
例えば図６（Ａ）に示している報知状態から「１番」の経過時間が所定の調理時間に到達すると、「１番」に対して「０００」を一定時間点滅させた後、当該「１番」及び「０００」の出力を停止し、図６（Ｂ）の例に示すように、ＩＤ「２番」及び「３番」を繰り上げて表示し、最下段には、記憶しているが表示すべき場所がなかったＩＤ「４番」の表示を新たに追加する。
このように、ＩＤ（識別情報）とともに、所定の調理時間に達したことを順番に報知していく。
なお報知は、表示手段１１または音声出力手段１４の少なくとも一方から行えばよい。例えば音声出力手段１４を用いる場合、経過時間３０秒毎にＩＤと残り時間を報知（「１番のお客様、残り時間ｘｘ秒です」等）し、調理時間に達した場合、調理時間に達したことを報知（「１番のお客様、調理完了しました」等）する。
【００２３】
本発明のカップ入り食料自動販売機１は、本実施の形態で説明した外観、構成、処理、表示例等に限定されず、本発明の要旨を変更しない範囲で種々の変更、追加、削除が可能である。
また、以上（≧）、以下（≦）、より大きい（＞）、未満（＜）等は、等号を含んでも含まなくてもよい。
また、本実施の形態の説明に用いた数値は一例であり、この数値に限定されるものではない。
【図面の簡単な説明】
【００２４】
【図１】本発明のカップ入り食料自動販売機１の一実施の形態における概略外観図（正面図）を説明する図である。
【図２】給湯室１３に関する機器の構成の例を説明する図である。
【図３】第１の実施の形態における給湯及び報知の処理手順の例を説明するフローチャートである。
【図４】第１の実施の形態における報知の例を説明する図である。
【図５】第２の実施の形態における給湯及び報知の処理手順の例を説明するフローチャートである。
【図６】第２の実施の形態における報知の例を説明する図である。
【図７】第２の実施の形態においてカップＣに設けた識別情報及び当該識別情報を認識する例を説明する図である。
【符号の説明】
【００２５】
１        カップ入り食料自動販売機
１０      給湯装置
１１      表示手段
１２      給湯釦
１３      給湯室
１３Ａ    開閉扉
１４      音声出力手段
１５      備品貯蔵部
１６      注ぎ口
１７Ａ    カップ検出手段
１７Ｂ    開閉検出手段
２０      自動販売機
３０      制御手段
Ｃ        カップ（カップ入り食料）
【図１】
2007200193.tif 000003
【図２】
2007200193.tif 000004
【図３】
2007200193.tif 000005
【図４】
2007200193.tif 000006
【図５】
2007200193.tif 000007
【図６】
2007200193.tif 000008
【図７】
2007200193.tif 000009